(57)【要約】【課題】無線通信設備を直射日光から隔離し、構造が簡便で、取り付け取り外しが容易で、耐候性に優れ、且つ機械的保護機能にも優れる無線通信設備を対象とした過熱防止用箱体を提供する。【解決手段】日光隔離手段を箱体形状とし、垂直方向の壁部に通気性の開口部を多数設けると共に、固体を構成する材料としてアルミニウム複合板を使用し、太陽光発電を利用した強制冷却も可能とした。【選択図】図１
2017011250.tif 000002
【特許請求の範囲】
【請求項１】
開口した底部、上面部及び４枚の垂直方向の壁部からなる直方体形状からなり、垂直方向の壁部上に、壁部全体の１０〜８０％の開口部面積を占める複数の開口部を配置し、底部の端部の一部で床面上に、或いは背面部或いは側面部の一部で建て屋の一部に固定可能であることを特徴とする物体を覆って太陽熱を遮断する過熱防止用箱体。
【請求項２】
開口部が開いたくり抜いた穴、或いは複数の板材を開口部を形成するよう配列した集合した開口部で形成されていることを特徴とする請求項１記載の太陽熱を遮断する過熱防止用箱体。
【請求項３】
正面部に点検用開閉蓋を設けたことを特徴とする請求項１及び請求項２に記載の太陽熱を遮断する過熱防止用箱体。
【請求項４】
物体が無線通信設備であることを特徴とする請求項１、請求項２及び請求項３に記載の太陽熱を遮断する過熱防止用箱体。
【請求項５】
箱体がアルミニウム及びアルミニウム以外の材料との積層材からなることを特徴とする請求項１、請求項２、請求項３及び請求項４に記載の太陽熱を遮断する過熱防止用箱体。
【請求項６】
アルミニウムと積層する材料が発泡プラスチックであることを特徴とする請求項１、請求項２、請求項３、請求項４及び請求項５に記載の太陽熱を遮断する過熱防止用箱体。
【請求項７】
箱体の上面部に太陽光発電手段を備え、該発電手段で生成する電力で小型ファンを回転し、箱体内部に通風することを特徴とする請求項１、請求項２、請求項３、請求項４、請求項５及び請求項６に記載の太陽熱を遮断する過熱防止用箱体。
【請求項８】
箱体表面上に遮光材料或いは遮光塗料を配置したことを特徴とする請求項１、請求項２、請求項３、請求項４、請求項５、請求項６及び請求項７に記載の太陽熱を遮断する過熱防止用箱体。
【発明の詳細な説明】
【技術分野】
【０００１】      本発明は、特に移動体通信用に使用する無線通信設備の太陽熱による過熱を防止する過熱防止用袋体に関する。
【背景技術】
【０００２】      従来の通信無線設備は、双方向通信が可能なモバイル、Ｗｉ−Ｆｉなどの通信端末を使用する分野で広範に、且つ数多く使用されているが、移動体通信設備は温度の変化に弱く、特に過熱による影響が大きい。過度な温度上昇などからその機能が損なわれるため、予防措置としてシャットダウンする機器が大部分であった。シャットダウンに伴うラインの対策として、早期復旧と原因究明のため、作業員を現地へ向かわせる調整等に多大なる時間、人材及び経費を必要とするため、何らかの対策が望まれていた。
上記問題点を解決するため、これまで屋内型移動体通信設備は、空調設備により建屋内を冷却する方法が一般的には利用されてきた。しかし、屋外型通信設備に対する対策は取られていなかった。また無線通信設備が単数あるいは複数に係わらず、冷却のために要する電力量は膨大になり、省エネルギー、炭酸ガス発生量の抑制という環境面からも好ましくない状況にあった。そのため、より手軽で、作業性もよく、エネルギー消費量の少ない、且つ安価な過熱防止手段が求められていた。
【発明の概要】
【発明が解決しようとする課題】
【０００３】      本発明は、前記の現状を考慮し、屋外型の無線通信設備を直射日光から隔離し、構造が簡便な、取り付け取り外し作業が容易で、耐候性に優れ、且つ機械的強度も高い過熱防止用箱体を提供することを目的とする。
【課題を解決するための手段】
【０００４】      本発明では上記課題を解決するために、鋭意研究した結果、無線通信設備単体或いは単数或いは複数の無線通信設備を収納した建て屋を、正面部、背面部及び２枚の側面部からなる垂直方向に伸びる４枚の壁、並びに天井部からなり、正面部、側面部及び背面部の全体に、全面積の１０〜６０％に相当する通気性に富む通気穴を設けた箱体で覆うことにより、無線通信設備を太陽光から遮断でき、通気性も損なわず、無線通信設備の温度上昇を著しく抑制できることを見出した。
本発明の箱体は、垂直方向に配置した４枚の壁上に通気性を高めるための通気性穴部を有しており、上面部シートと無線通信設備頭頂部間には空隙部が形成されており、通気が可能である。該空隙部に対しては必要に応じて強制的な通気を実施することも可能である。
本発明体の箱体は、任意の材料からなるシート材料を組み込み、ビス止め、溶接或いは接着剤を用いた接合など通常知られている手段を用いて接合して作製できるが、加工性、運搬のし易さ、太陽光遮断性の面からアルミニウムと断熱性に優れた他材料との複合板が好ましい。特にプラスチック発泡材との複合材がより好ましい。
本発明が対象としている無線通信設備は海岸線に設置されることもあり、そのような場合にはアルミニウム材の代わりにステンレスを用いたステンレスとプラスチックからなる複合材の使用が好ましい。
通気を確保する通気穴は連続したシート材上に円形、スリット状など任意の形状の穴を形成してもよく、或いは細長く裁断した複数のシート材を傾斜させ、お互いに隔離し、且つ日光を遮断するよう垂直方向にその一部が重なるような配置で整列させて形成することもできる。
上面部シートと無線通信設備頭頂部間の空隙部に対する強制的通気は、外部からの導管を通して実施してもよいが、上面部シート上に太陽光発電手段を配置し、その電力を利用するファンを該空隙部近傍に設置して通風を実施するのがより好ましい。
箱体はその表面を遮光材料或いは遮光塗料等で覆うことも可能であり、その場合には太陽光は遮光材料或いは遮光塗料により反射され、直射日光の影響は更に低減可能となる。
【発明の効果】
【０００５】      本発明の利点は次の通りである。第１の利点は、無線通信設備を箱体で覆ったことにより、直射日光から隔離でき、その温度上昇を低減できることである。その表面に遮光材料或いは遮光塗料を配置することにより、低減効果はさらに高まる。第２の利点は、箱体をアルミニウムと断熱性材料との複合材で構成することにより断熱性を更に高められる点である。第３の利点は、ほぼ垂直方向に配置したシート上に通気性を高める穴部を設けたことにより、無線通信設備表面に設けた放熱フィンによる放熱を妨げないことである。第４の利点は、必要に応じて箱体上面部シート上に太陽光発電手段を設置し、無線通信設備頭頂部と上面部シート間の空隙部近傍に備えたファンにより通気を行うことができ、更に放熱を促進可能としたことである。第５の利点は、箱体をアルミニウムの複合材で構成することにより外部からの固体物質の衝突、耐風圧性、耐積雪性荷重、或いはその他外力による機械的衝撃から無線通信設備を保護できることである。第６の利点は、箱体を無線通信設備が設置されている床面或いは近傍の壁面に固定することにより、台風時における強風などからも無線通信設備を保護できることである。
本発明の箱体は、美観性、軽量性、耐久性に優れ、機械的強度を保持しながら、加工性も良好で、豊富なバリエーションに対応できる。
これら効果を集約すると本発明の箱体を使用することにより、外観を損なうことなく、無線通信設備本体の稼働負荷軽減、シャットダウンに伴う対応に要するコスト低減、電気使用量の削減、更には機械的衝撃からの保護が可能となる。
【発明を実施するための最良の形態】
【０００６】      本発明の実施の形態について図面を参照しながら説明する。
図１は本発明の箱体の一実施例の外観概要図である。本発明の箱体は、開口部１を有する底部、正面部２、上面部３、側面部４及び背面部シート５から構成される。シート状材料であれば任意の材料を選択できるが、加工性、断熱性などを考慮するとアルミニウムの複合板が特に好ましい。アルミニウムと組み合せる材料は特に限定されないが、発泡ポリエチレンシートなど断熱性に優れるものが好ましい。垂直方向に配置された正面部、側面部、背面部のシート上には通気性を保持するため、垂直部分全面積の１０〜８０％の通気用開口部が配置されている。
通気用開口部は１枚のシート上にパンチング等で設けた円形の穴やスリット状開口部でもよく、複数のシートを通気性開口部を形成するように配置した開口部など形成方法は特に限定されない。複数のシートからなる箱体の一実施例を図２に示す。このタイプの箱体の類似物としては気象測定用に利用されている百葉箱が一般にはよく知られている。
正面部の一部には、点検用の蓋６が設けられており、必要に応じて開閉可能である。戸の蓋６は回転軸７を利用した上下に回転する回転蓋、或いは左右に開閉する観音扉など特に制限はない。
強制的な通風を行い、過熱防止の信頼性を高める一実施例を図３に示す。小型の太陽光発電手段を本発明の箱体上面部に配置し、これにより得られる電力を利用して、これも小型のファンにより、特に無線通信設備と上面部シート間の空隙部に通風を行う。この方法によれば、特に暑い夏場に太陽光を利用した発電による強制冷却が可能となり、無風状態でも通風できるためその有用性はより高まる。
本発明の箱体は、その表面を遮光材料や遮光塗料で覆うことも可能で、その場合は太陽光遮断効果に加え、反射により、太陽光遮蔽効果は更に強化される。
【実施例】
【実施例１】
【０００７】      幅６００ｍｍ×奥行き３００ｍｍ×高さ８００ｍｍの無線通信設備単体を、厚みが２ｍｍのアルミニウムシート上に、厚み３ミリメートルの発泡ポリエチレンシートを積層した複合板で作製した、正面部、背面部及び側面部の通気性開口部の面積が全体の４０％で、上部空隙間隔が５０ｍｍの幅７００ｍｍ×奥行き４００ｍｍ×高さ８５０ｍｍの箱体で覆い、外気３０℃〜３２℃の条件下、コンクリート建造物の屋上に４時間放置した。４時間後の無線通信設備表面４箇所の平均表面温度は３１℃に保持されていた。
【実施例２】
【０００８】      箱体を取り付けなかった以外は実施例１と同様の条件で無線通信設備単体をコンクリート建造物の屋上に４時間放置した。４時間後の無線通信設備表面４箇所の平均表面温度は４３℃であった。
【実施例３】
【０００９】      箱体を厚み２ミリメートルのアルミニウム単体で作製し、箱体上面部に太陽光発電手段を配置し、発生する電力を利用して箱体内部に強制的に送風を行うと共に、無線通信設備から約２メートルの位置に仕切り壁を設け自然の通風を阻止した以外は実施例１と同様の条件で、コンクリート建造物の屋上に４時間放置した。４時間後の無線通信設備表面４箇所の平均表面温度は３０℃に保持されていた。
【実施例４】      箱体上面部の太陽光発電手段を配置せず、箱体内部への強制的送風を実施しなかった以外は実施例３と同様の条件で、コンクリート建造物の屋上に４時間放置した。４時間後の無線通信設備表面４箇所の平均表面温度は３７℃であった。
【図面の簡単な説明】
【００１０】
【図１】  本発明の器具の一実施例の外観概略説明図である。
【図２】  本発明における異なるタイプの一実施例の外観概略説明図である。
【図３】  本発明における強制冷却設備を備えた箱体の一実施例の横断面概略説明図である。
【産業上の利用可能性】
【００１１】      本発明の無線通信設備のための過熱防止用器具は、特に移動体通信設備の分野で無      線通信設備の過度な温度上昇を防ぐことにより、過熱によるシャットダウンの低減      、シャットダウンに対する対応のための時間、人材、経費の削減、冷却のための電      力量の削減に大いに貢献できる。
【符号の説明】
【００１２】  １    開口した底部
２    正面部
３    上面部
４    側面部
５    背面部
６    開閉蓋部
７    回転軸
８    傾斜したシート材
９    通風用開口部
１０    無線通信設備
１１    太陽光発電手段
１２    ファン
【図１】
2017011250.tif 000003
【図２】
2017011250.tif 000004
【図３】
2017011250.tif 000005